(57)【特許請求の範囲】
【請求項１】
コネクタハウジングの端子収容部を開閉自在に覆うカバーがヒンジを介して該コネクタハウジングに一体に設けられ、組み立て前においては、該カバーが該端子収容部に対して開方向に裏返った状態で該コネクタハウジングにバンドを介して継がれているカバー付コネクタを組み立てるためのカバー付コネクタ組立装置であって、
基盤にスライド自在に設けられ、前後に駆動されて移動するテーブルと、
該テーブルに設けられ、前記コネクタハウジングを保持するホルダと、
該テーブルに設けられ、テーブル移動方向に駆動されて進退するバンド切断用の第一切断刃を有するバンド切断手段と、
該テーブルの後退方向において前記基盤に設けられ、該バンド切断手段でバンドが切断された後、該テーブルの後退動作で該カバーを前記端子収容部に対して前記裏返った状態から前方の閉方向へ反転させる反転ブロックを有するカバー反転手段と、
前記基盤に設けられ、該反転ブロックの前方において上下に駆動されて昇降するカバー押圧部を有して、反転された該カバーを前記コネクタハウジングに嵌合させるカバー嵌合手段と、
を備えたことを特徴とするカバー付コネクタ組立装置。
【請求項２】
請求項１に記載のカバー付コネクタ組立装置において、
前記第一切断刃を、前記相対移動前の初期状態において、前記カバー及び前記コネクタハウジング間の前記バンド近傍に配置することを特徴とするカバー付コネクタの組立装置。
【請求項３】
請求項１又は請求項２に記載のカバー付コネクタ組立装置において、前記第一切断刃に、前記カバーを前記閉方向へ持ち上げるプレートを設けることを特徴とするカバー付コネクタ組立装置。
【請求項４】
請求項１ないし請求項３いずれか記載のカバー付コネクタ組立装置において、
前記バンド切断手段によって前記バンドを切断する際に、前記カバーが前記閉方向へ反転してしまわないよう前記カバーを押さえつけるカバー反転規制部材を更に備えることを特徴とするカバー付コネクタ組立装置。
【請求項５】
請求項１ないし請求項４いずれか記載のカバー付コネクタ組立装置において、
前記カバー嵌合手段の作動後に動作し、前記バンドの切り残しを除去するバンド除去手段を更に備えることを特徴とするカバー付コネクタ組立装置。
【請求項６】
請求項５に記載のカバー付コネクタ組立装置において、
前記バンド除去手段は、前記切り残しを切断する第二切断刃と、該第二切断刃を前記第一切断刃の移動方向に対して直交方向に相対移動させる第二切断刃駆動部とを有することを特徴とするカバー付コネクタ組立装置。
【請求項７】
請求項６に記載のカバー付コネクタ組立装置において、
前記第二切断刃の相対移動方向に、除去されたバンドカス用のカス入れを設けることを特徴とするカバー付コネクタ組立装置。
【請求項８】
請求項１ないし請求項７いずれか記載のカバー付コネクタ組立装置において、前記カバー押圧部の後方において前記カバー嵌合手段の作動前に駆動されて下降する昇降可能なハウジング押圧部を有して、前記コネクタハウジングを押圧するハウジング押圧手段を更に備えることを特徴とするカバー付コネクタ組立装置。
【請求項９】
請求項８に記載のカバー付コネクタ組立装置において、
前記ハウジング押圧手段は、前記カバー付コネクタを該カバー付コネクタに対して別体で配設されたコネクタと合体させることを可能とすることを特徴とするカバー付コネクタ組立装置。
【請求項１０】
コネクタハウジングの端子収容部を開閉自在に覆うカバーをヒンジを介して前記コネクタハウジングに一体に設け、組み立て前においては、前記カバーを前記端子収容部に対して開方向に裏返った状態で前記コネクタハウジングにバンドを介して継いだカバー付コネクタを組み立てるための請求項１ないし請求項９いずれか記載のカバー付コネクタ組立装置を用いたカバー付コネクタ組立方法であって、
前記カバーに対して前記バンド切断手段の第一切断刃を相対移動させて前記バンドを切断し、
前記カバーを前記端子収容部に対して前記裏返った状態から閉方向へ前記カバー反転手段で前記端子収容部に対向する位置に反転させ、
前記カバーを前記カバー嵌合手段で前記コネクタハウジングに嵌合させることを特徴とするカバー付コネクタ組立方法。
【請求項１１】
請求項１０に記載のカバー付コネクタ組立方法において、
前記バンド切断手段によって前記バンドを切断する際に、前記カバーが前記閉方向へ反転してしまわないように前記カバーを前記カバー反転規制部材で押さえつけることを特徴とするカバー付コネクタ組立方法。
【請求項１２】
請求項１０又は請求項１１に記載のカバー付コネクタ組立方法において、
前記カバー嵌合手段の作動後に、前記バンドの切り残しを前記バンド除去手段で除去することを特徴とするカバー付コネクタ組立方法。
【請求項１３】
請求項１２に記載のカバー付コネクタ組立方法において、
前記バンド除去手段としての第二切断刃駆動手段で前記第二切断刃を前記第一切断刃の移動方向に対して直交方向に相対移動させて前記切り残しを切断することを特徴とするカバー付コネクタ組立方法。
【請求項１４】
請求項１０ないし請求項１３いずれか記載のカバー付コネクタ組立方法において、
前記カバー嵌合手段の作動前に前記ハウジング押圧手段を該カバー嵌合手段の相対移動方向に動作させて前記コネクタハウジングを押圧することを特徴とするカバー付コネクタ組立方法。
【請求項１５】
請求項１４に記載のカバー付コネクタ組立方法において、
前記ハウジング押圧手段で前記カバー付コネクタを該カバー付コネクタに対して別体で配設されたコネクタと合体させることを特徴とするカバー付コネクタ組立方法。
【発明の詳細な説明】
【０００１】
【発明の属する技術分野】
本発明は、コネクタハウジングの端子収容部を開閉自在に覆うカバーがヒンジを介してコネクタハウジングに一体に設けられるカバー付コネクタを組み立てるためのカバー付コネクタ組立装置及びカバー付コネクタ組立方法に関する。
【０００２】
【従来の技術】
従来よりカバー付コネクタの組み立ては、次のような作業によって行われている。
即ち、カバー付コネクタの構成を説明しながら、その組み立てについて説明すると（図１８参照）、先ずカバー付コネクタ１は、複数（図中においては二つ）の端子収容室２から成る端子収容部（不図示）を有する合成樹脂製のコネクタハウジング３と、端子収容室２に各々装着される図示しない圧接端子と、コネクタハウジング３に設けられ、上記端子収容部を開閉自在に覆うことが可能なカバー４とから構成されている。
【０００３】
カバー４は、その一端がヒンジ５を介してコネクタハウジング３に設けられており、カバー付コネクタ１の組み立て前においては、連結片状のバンド６、６により裏返った状態で中間部分がコネクタハウジング３に継がれている。また、カバー４の上記一端に対する他端は、フード４ａが形成されており、そのフード４ａの両側には、係合枠部４ｂ、４ｂ（一方のみ図示）が形成されている。
【０００４】
上記係合枠部４ｂ、４ｂは、コネクタハウジング３の電線導出側（引用符号７が電線を示す）における両側に設けられた係合突起３ａ、３ａ（一方のみ図示）に係合するようになっている。
【０００５】
上記構成において、カバー付コネクタ１の組み立ては、カバー４がバンド６、６に継がれた状態で、上記圧接端子を各端子収容室に挿着し、その圧接端子の圧接部（不図示）に電線７を圧接する。次に、この状態からバンド６、６を切断し、上記端子収容部に対して開閉自在となったカバー４を矢線Ｊ方向へ反転させ、そのカバー４を閉止する。
【０００６】
尚、以上説明したカバー付コネクタ１の他には、図１９（ａ）、（ｂ）に示されるような、カバー付コネクタであるロアーコネクタ１１をアッパーコネクタ１２に合体させて構成するものもある。
【０００７】
即ち、ロアーコネクタ１１は、係合突起１３ａ、１３ａ（一方のみ図示）を有するコネクタハウジング１３と、そのコネクタハウジング１３の図示しない端子収容部に装着され、電線１４が圧接された端子（不図示）と、ヒンジ１３ｂを介してコネクタハウジング１３に設けられ、上記係合突起１３ａ、１３ａとの嵌合で上記端子収容部を閉止するカバー１５とから構成されており、図示しないバンドを切断した後に、カバー１５が反転させられ、カバー１５の係合枠部１５ａ、１５ａ（一方のみ図示）を係合突起１３ａ、１３ａに嵌合させて組み立てられている。
【０００８】
コネクタハウジング１３には、アッパーコネクタ１２との合体のために、係合枠部１３ｃ、１３ｃ（一方のみ図示）と係合孔１３ｄとが形成されており、アッパーコネクタ１２の係合突起１２ａ、１２ａ（一方のみ図示）に上記係合枠部１３ｃ、１３ｃを、また、アッパーコネクタ１２の係合ピン１２ｂに上記係合孔１３ｄを嵌合させて、ロアーコネクタ１１とアッパーコネクタ１２とが合体するようになっている。
【０００９】
【発明が解決しようとする課題】
ところで上記従来技術にあっては、その組み立てにかかる工程の大半が手作業によって行われていることから、タクトがかかり過ぎてしまい、生産性に影響を来している。
【００１０】
即ち、上記カバー付コネクタ１では、少なくともバンド６、６の切断からカバー４の閉止までが手作業となっており、また、上記ロアーコネクタ１１とアッパーコネクタ１２とが合体したいわゆる合体コネクタでも、バンド（不図示）の切断からカバー１５の閉止までと、係合突起１２ａ、１２ａと係合枠部１３ｃ、１３ｃ、及び、係合ピン１２ｂと係合孔１３ｄの合体にかかる嵌合とが手作業となっているので、当然にタクトがかかってしまい、生産性が非常に悪くなっている。
【００１１】
また、上記の問題点の他には、次のようなバンドの切断にかかる問題点も生じている。  即ち、バンド６、６を切断する際には、そのバンド６、６を単に切断するのではなく、切り残しがないように切断しなければならず、そのため、カバー４を閉止可能とするための切断と、切り残し分を除去してカバー４及びコネクタハウジング３の継ぎ面を平坦にするための切断、の二つの工程が必要となり、これら工程を作業者が一々ハサミやニッパ等で行っている。従って、非常に面倒な作業工程であることから、作業能率が低下してしまっている。
【００１２】
特にその作業工程の中では、カバー４の閉止の際と上記継ぎ面を平坦にする際に、除去したバンドカス（不図示）等の異物が上記端子収容部内に混入してしまわないよう注意を払わなければならないので、非常に面倒な作業となっている。
【００１３】
一方、他の問題点としては、カバー４（カバー１５も同様）を閉止する際に、作業者の手が上記端子に触れてしまうと、その端子が変形してしまう恐れがある。
【００１４】
他方、上記ロアーコネクタ１１とアッパーコネクタ１２とを合体させる際には、作業者の指先に大きな力をかける必要があるため、長時間の作業が非常に困難である。
【００１５】
本発明は、上述した問題点を解消するため、人による作業の工程を軽減し、効率よく、且つ、正確にカバー付コネクタの組み立てができるカバー付コネクタ組立装置及びカバー付コネクタ組立方法を提供することを課題とする。
【００１６】
【課題を解決するための手段】
上記課題を解決するためなされた請求項１記載の本発明のカバー付コネクタ組立装置は、コネクタハウジングの端子収容部を開閉自在に覆うカバーがヒンジを介して該コネクタハウジングに一体に設けられ、組み立て前においては、該カバーが該端子収容部に対して開方向に裏返った状態で該コネクタハウジングにバンドを介して継がれているカバー付コネクタを組み立てるためのカバー付コネクタ組立装置であって、基盤にスライド自在に設けられ、前後に駆動されて移動するテーブルと、該テーブルに設けられ、前記コネクタハウジングを保持するホルダと、該テーブルに設けられ、テーブル移動方向に駆動されて進退するバンド切断用の第一切断刃を有するバンド切断手段と、該テーブルの後退方向において前記基盤に設けられ、該バンド切断手段でバンドが切断された後、該テーブルの後退動作で該カバーを前記端子収容部に対して前記裏返った状態から前方の閉方向へ反転させる反転ブロックを有するカバー反転手段と、前記基盤に設けられ、該反転ブロックの前方において上下に駆動されて昇降するカバー押圧部を有して、反転された該カバーを前記コネクタハウジングに嵌合させるカバー嵌合手段と、を備えたことを特徴としている。
【００１７】
上記構成において、カバー付コネクタ組立装置は、バンド切断手段とカバー反転手段とカバー嵌合手段とを備えており、バンドを介してコネクタハウジングに継がれ、端子収容部に対して開方向に裏返った状態のカバーに対して、バンド切断手段の第一切断刃を相対移動させてバンドを切断した後、カバー反転手段がカバーを裏返った状態から閉方向へ反転させ、カバーを端子収容部に対向する位置に配置する。そして、カバー嵌合手段がカバーをコネクタハウジングに嵌合させる組み立て工程になっている。
このように、人による作業が従来に比べて大幅に軽減された組み立てとなっているので、カバー付コネクタの組み立てにかかるタクトが短くなり、生産性が向上する。また、作業者が一々ハサミやニッパ等で切断しなくとも、バンド切断手段によりバンドを切断することができるので、正確且つ均一であり、作業能率も向上する。さらに、カバー嵌合手段がカバーを閉止するので、作業が軽減されるのは勿論のこと、手が端子に触れてしまうこともなく、端子の変形を防止することができる。
従って、以上のことから、人による作業の工程を軽減し、効率よく、且つ、正確にカバー付コネクタの組み立てができるカバー付コネクタ組立装置を提供することができる。
【００１８】
請求項２記載の本発明のカバー付コネクタ組立装置は、請求項１に記載のカバー付コネクタ組立装置において、前記第一切断刃を、前記相対移動前の初期状態において、前記カバー及び前記コネクタハウジング間の前記バンド近傍に配置することを特徴としている。
【００１９】
上記構成において、第一切断刃を、その第一切断刃が相対移動する前の初期状態において、カバー及びコネクタハウジング間のバンド近傍に配置するようになっているので、第一切断刃が相対移動する際に、その第一切断刃でバンド以外の部分を破損させてしまうことはない。また、コネクタハウジングをセットする際の位置決めが容易になり、バンドの切断状態も常に均一になる。
従って、効率よく、且つ、正確にカバー付コネクタの組み立てをすることができる。
【００２０】
請求項３記載の本発明のカバー付コネクタ組立装置は、請求項１又は請求項２に記載のカバー付コネクタ組立装置において、前記第一切断刃に、前記カバーを前記閉方向へ持ち上げるプレートを設けることを特徴としている。
【００２１】
上記構成において、第一切断刃に、カバーを閉方向へ持ち上げるプレートが設けられているので、バンドの切断が行われた後のカバー反転手段への移行がスムーズとなる。つまり、カバーが閉方向へ持ち上げられると、カバー反転手段がカバーを反転させやすくなるためであり、第一切断刃に設けることで作業効率を高めている。
従って、第一切断刃にカバーを設けることで、さらに効率よくカバー付コネクタの組み立てをすることができる。
【００２２】
請求項４記載の本発明のカバー付コネクタ組立装置は、請求項１ないし請求項３いずれか記載のカバー付コネクタ組立装置において、前記バンド切断手段によって前記バンドを切断する際に、前記カバーが前記閉方向へ反転してしまわないよう前記カバーを押さえつけるカバー反転規制部材を更に備えることを特徴としている。
【００２３】
上記構成において、カバー反転規制部材を更に備えており、バンド切断手段によってバンドを切断する際に、カバーが閉方向へ反転してしまわないようカバーを押さえつけることが可能になる。また、カバーを位置決めさせる部材にもなるので、以上のことから、バンドの切断を確実に行うことが可能になる。
従って、カバー反転規制部材を更に備えることで、バンドを確実に切断することができる。
【００２４】
請求項５記載の本発明のカバー付コネクタ組立装置は、請求項１ないし請求項４いずれか記載のカバー付コネクタ組立装置において、前記カバー嵌合手段の作動後に動作し、前記バンドの切り残しを除去するバンド除去手段を更に備えることを特徴としている。
【００２５】
上記構成において、バンド除去手段を更に備えており、カバー嵌合手段の作動後に動作し、バンドの切り残しを除去するようになっている。
これにより、バンドを確実に除去することが可能になる。また、バンド除去手段はカバー嵌合手段の作動後に動作させることから、カバーがすでに閉止されており、バンドカスが端子収容部内に混入してしまうことはない。
従って、バンド除去手段を更に備えることで、切り残したバンドを確実に除去することができるとともに、その作動タイミングによって、端子収容部内への異物混入を防止することができる。
【００２６】
請求項６記載の本発明のカバー付コネクタ組立装置は、請求項５に記載のカバー付コネクタ組立装置において、前記バンド除去手段は、前記切り残しを切断する第二切断刃と、該第二切断刃を前記第一切断刃の移動方向に対して直交方向に相対移動させる第二切断刃駆動部とを有することを特徴としている。
【００２７】
上記構成において、バンド除去手段は、バンドの切り残しを切断する第二切断刃と、その第二切断刃を第一切断刃の移動方向に対して直交方向に相対移動させる第二切断刃駆動部とを有しているので、上述同様、バンドを確実に除去することができるのは勿論のこと、第二切断刃が第一切断刃の移動方向に対して直交方向に相対移動することから、閉止したカバーの方向にバンドカスが除去されることはない。
従って、バンドを確実に除去することができるとともに、端子収容部内への異物混入もより確実に防止することができる。
【００２８】
請求項７記載の本発明のカバー付コネクタ組立装置は、請求項６に記載のカバー付コネクタ組立装置において、前記第二切断刃の相対移動方向に、除去されたバンドカス用のカス入れを設けることを特徴としている。
【００２９】
上記構成において、第二切断刃の相対移動方向に、除去されたバンドカス用のカス入れが設けられているので、バンドカスの管理が容易になる。そして、バンドカスがカス入れにためられるので、バンドカスが何らかの拍子に端子収容部内に混入してしまうこともない。また、作業終了後の後始末も当然に容易になる。
従って、バンドを除去した後のバンドカスの管理が容易となって、端子収容部内への異物混入を確実に防止することができる。
【００３０】
請求項８記載の本発明のカバー付コネクタ組立装置は、請求項１ないし請求項７いずれか記載のカバー付コネクタ組立装置において、前記カバー押圧部の後方において前記カバー嵌合手段の作動前に駆動されて下降する昇降可能なハウジング押圧部を有して、前記コネクタハウジングを押圧するハウジング押圧手段を更に備えることを特徴としている。
【００３１】
上記構成において、ハウジング押圧手段を更に備えており、カバー嵌合手段の作動前にそのカバー嵌合手段の相対移動方向に動作し、コネクタハウジングを押圧するようになっているので、カバーを閉止する際にコネクタハウジングが動いてしまうことはない。
従って、ハウジング押圧手段を更に備えてコネクタハウジングを押圧することにより、カバーの閉止を確実且つ安定して行うことができる。
【００３２】
請求項９記載の本発明のカバー付コネクタ組立装置は、請求項８に記載のカバー付コネクタ組立装置において、前記ハウジング押圧手段は、前記カバー付コネクタを該カバー付コネクタに対して別体で配設されたコネクタと合体させることを可能とすることを特徴としている。
【００３３】
上記構成において、ハウジング押圧手段は、カバー嵌合手段の相対移動方向に動作してコネクタハウジングを押圧するようになっているので、その押圧を利用し、カバー付コネクタをそのカバー付コネクタに対して別体で配設されたコネクタと合体させることが可能になる。
従って、ハウジング押圧手段を更に備えることにより、合体コネクタも効率よく、且つ、正確に組み立てすることができる。
【００３４】
請求項１０記載の本発明のカバー付コネクタ組立方法は、コネクタハウジングの端子収容部を開閉自在に覆うカバーをヒンジを介して前記コネクタハウジングに一体に設け、組み立て前においては、前記カバーを前記端子収容部に対して開方向に裏返った状態で前記コネクタハウジングにバンドを介して継いだカバー付コネクタを組み立てるための請求項１ないし請求項９いずれか記載のカバー付コネクタ組立装置を用いたカバー付コネクタ組立方法であって、前記カバーに対して前記バンド切断手段の第一切断刃を相対移動させて前記バンドを切断し、前記カバーを前記端子収容部に対して前記裏返った状態から閉方向へ前記カバー反転手段で前記端子収容部に対向する位置に反転させ、前記カバーを前記カバー嵌合手段で前記コネクタハウジングに嵌合させることを特徴としている。
【００３５】
上記構成において、カバー付コネクタ組立方法は、バンドを介してコネクタハウジングに継がれ、端子収容部に対して開方向に裏返った状態のカバーに対して、バンド切断手段の第一切断刃を相対移動させてバンドを切断した後、カバー反転手段がカバーを裏返った状態から閉方向へ反転させ、カバーを端子収容部に対向する位置に配置する。そして、カバー嵌合手段がカバーをコネクタハウジングに嵌合させる。
このように、人による作業が従来に比べて大幅に軽減された組み立てとなっているので、カバー付コネクタの組み立てにかかるタクトが短くなり、生産性が向上する。また、作業者が一々ハサミやニッパ等で切断しなくとも、バンド切断手段によりバンドを切断することができるので、正確且つ均一であり、作業能率も向上する。さらに、カバー嵌合手段がカバーを閉止するので、作業が軽減されるのは勿論のこと、手が端子に触れてしまうこともなく、端子の変形を防止することができる。
従って、以上のことから、人による作業の工程を軽減し、効率よく、且つ、正確にカバー付コネクタの組み立てができるカバー付コネクタ組立方法を提供することができる。
【００３６】
請求項１１記載の本発明のカバー付コネクタ組立方法は、請求項１０に記載のカバー付コネクタ組立方法において、前記バンド切断手段によって前記バンドを切断する際に、前記カバーが前記閉方向へ反転してしまわないように前記カバーをカバー反転規制部材で押さえつけることを特徴としている。
【００３７】
上記構成において、バンド切断手段によってバンドを切断する際に、カバーが閉方向へ反転してしまわないようカバーを押さえつける。また、カバーを位置決めさせる部材にもなるので、以上のことから、バンドの切断を確実に行うことが可能になる。
従って、バンドを確実に切断することができる。
【００３８】
請求項１２記載の本発明のカバー付コネクタ組立方法は、請求項１０又は請求項１１に記載のカバー付コネクタ組立方法において、前記カバー嵌合手段の作動後に、前記バンドの切り残しをバンド除去手段で除去することを特徴としている。
【００３９】
上記構成によって、バンドを確実に除去することが可能になる。また、バンド除去手段はカバー嵌合手段の作動後に動作させることから、カバーがすでに閉止されており、バンドカスが端子収容部内に混入してしまうことはない。
従って、バンド除去手段を更に備えることで、切り残したバンドを確実に除去することができるとともに、その作動タイミングによって、端子収容部内への異物混入を防止することができる。
【００４０】
請求項１３記載の本発明のカバー付コネクタ組立方法は、請求項１２に記載のカバー付コネクタ組立方法において、  前記バンド除去手段としての第二切断刃駆動手段で第二切断刃を前記第一切断刃の移動方向に対して直交方向に相対移動させて前記切り残しを切断することを特徴としている。
【００４１】
上記構成によれば、バンドを確実に除去することができるのは勿論のこと、第二切断刃が第一切断刃の移動方向に対して直交方向に相対移動することから、閉止したカバーの方向にバンドカスが除去されることはない。
従って、バンドを確実に除去することができるとともに、端子収容部内への異物混入もより確実に防止することができる。
【００４２】
請求項１４記載の本発明のカバー付コネクタ組立方法は、請求項１０ないし請求項１３いずれか記載のカバー付コネクタ組立方法において、前記カバー嵌合手段の作動前にハウジング押圧手段を該カバー嵌合手段の相対移動方向に動作させて前記コネクタハウジングを押圧することを特徴としている。
【００４３】
上記構成において、カバー嵌合手段の作動前にそのカバー嵌合手段の相対移動方向に動作し、コネクタハウジングを押圧するようになっているので、カバーを閉止する際にコネクタハウジングが動いてしまうことはない。
従って、ハウジング押圧手段を更に備えてコネクタハウジングを押圧することにより、カバーの閉止を確実且つ安定して行うことができる。
【００４４】
請求項１５記載の本発明のカバー付コネクタ組立方法は、請求項１４に記載のカバー付コネクタ組立方法において、前記ハウジング押圧手段で前記カバー付コネクタを該カバー付コネクタに対して別体で配設されたコネクタと合体させることを特徴としている。
【００４５】
上記構成において、ハウジング押圧手段が、カバー嵌合手段の相対移動方向に動作してコネクタハウジングを押圧するようになっているので、その押圧を利用し、カバー付コネクタをそのカバー付コネクタに対して別体で配設されたコネクタと合体させることが可能になる。
従って、ハウジング押圧手段を更に備えることにより、合体コネクタも効率よく、且つ、正確に組み立てすることができる。
【００４６】
【発明の実施の形態】
以下、図面を参照して本発明の一実施の形態を説明する。
図１は本発明のカバー付コネクタ組立装置の一実施の形態を示す装置側方より見た状態説明図である。また、図２は図１のカバー付コネクタ組立装置の外観斜視図、図３は図１のカバー付コネクタのセット状態を説明するためのホルダー及びコネクタカバーの断面図、図４は図１のカバー付コネクタ組立装置の上部側の分解斜視図、図５ないし図１５は装置側方より見たカバー付コネクタにかかる組み立ての状態説明図を示している。
【００４７】
図１において、引用符号２１で示されるカバー付コネクタ組立装置は、そのカバー付コネクタ組立装置２１の基盤２２上で、その基盤２２の前後方向にスライド可能なテーブル２３を有しており、テーブル２３には、ロアーコネクタ２４及びアッパーコネクタ２５をセットするためのホルダ２６と、ロアーコネクタ２４のバンド２７、２７（一方のみ図示、以下同様）を切断するためのバンド切断手段２８とが載置されている。
【００４８】
また、カバー付コネクタ組立装置２１の基盤２２の前方には、ホルダ２６に対して開閉自在となるコネクタカバー２９（特許請求の範囲に記載したカバー反転規制部材に相当）が設けられており、さらに、テーブル２３のスライド範囲の中間となる基盤２２の中間部には、ロアーコネクタ２４のコネクタハウジング２４ａに設けられるカバー２４ｂを反転させるための反転ブロック３０（特許請求の範囲に記載したカバー反転手段に相当）と、コネクタハウジング２４ａを押圧するとともに、ロアーコネクタ２４とアッパーコネクタ２５とを合体させることが可能なハウジング押圧手段３１と、カバー２４ｂを閉止させるためのカバー嵌合手段３２とが設けられている。
また、上記中間部の後方には、ハウジング押圧手段３１の延在方向に直交する方向に延在して上記バンド２７の切り残しを除去するバンド除去手段３３が配設されている。
【００４９】
上記基盤２２は矩形平板状に形成されており、中央には（図２参照）、上記前後方向に延在するレール２２ａが設けられている。レール２２ａには、スライダ２２ｂ、２２ｂを介して上記テーブル２３が設けられており、そのテーブル２３は、シリンダ３４の駆動によって摺動自在となっている。そして、テーブル２３の移動に伴いホルダ２６とバンド切断手段２８とが上記前後方向に移動するようになっている。
【００５０】
上記ロアーコネクタ２４（特許請求の範囲に記載したカバー付コネクタに相当）は、図３に示される如く、上記カバー２４ｂが設けられた上記コネクタハウジング２４ａを有しており、その端子収容部２４ｃには、図示しない複数の圧接端子が装着されるとともに電線（不図示）が圧接されている。カバー２４ｂは、ヒンジ２４ｄを介してコネクタハウジング２４ａに設けられており、組み立て前においては、カバー２４ｂの中間部が上記バンド２７、２７によって図中に示されるような裏返ったような状態でコネクタハウジング２４ａに継がれている。
【００５１】
一方、ロアーコネクタ２４の両側には、上記アッパーコネクタ２５との合体の際に嵌合する係合枠部２４ｅ、２４ｅ（一方のみ図示）が形成されており、アッパーコネクタ２５との対向面には、図示しない係合孔が設けられている。
【００５２】
上記アッパーコネクタ２５（特許請求の範囲に記載した別体で配設されたコネクタに相当）は、図３に示される如く、その内部に図示しない複数の圧接端子が装着されるとともに電線（不図示）が圧接されており、両側には、上記係合枠部２４ｅ、２４ｅ（一方のみ図示）が嵌合する係合突起２５ａ、２５ａ（一方のみ図示）が形成されている。また、上記ロアーコネクタ２４との対向面には、上記係合孔に嵌合する係合ピン２５ｂが設けられている。
【００５３】
以上のロアーコネクタ２４とアッパーコネクタ２５は、図３に示される如く、上記テーブル２３（図１参照）に載置固定された上記ホルダ２６にセットされるようになっている。
【００５４】
そのホルダ２６は、アッパーコネクタ２５をセットした後、ロアーコネクタ２４がアッパーコネクタ２５上に配置された状態で、コネクタハウジング２４ａの上面、即ちヒンジ２４ｄ及びバンド２７が設けられる面とホルダ２６の上面とが略一致する深さに形成されており、また、ホルダ２６の前面側には、ガイド２６ａ（図２参照）が着脱自在に設けられている。
【００５５】
上記バンド切断手段２８は、図１に示される如く、上記ホルダ２６と同様、上記テーブル２３に載置固定されており、第一切断刃２８ａ、２８ａ（一方のみ図示、以下同様）を有する切断刃ブロック２８ｂと、その切断刃ブロック２８ｂを上記前後方向に駆動する既知構成のシリンダ２８ｃとを備えている。
【００５６】
上記第一切断刃２８ａは、その先端が組み立て前（相対移動前の初期状態）において、上記バンド２７近傍に配置されるとともに、カバー２４ｂとコネクタハウジング２４ａの上面との間に位置するようになっている。
【００５７】
上記切断刃ブロック２８ｂは、矩形状のブロックであって、その上面には第一切断刃２８ａがネジ止めされており、後面にはシリンダ２８ｃとの接合部２８ｄが設けられている。
【００５８】
上記コネクタカバー２９は、上記基盤２２に立設する支持壁２９ａ、２９ａ′（図２参照）と、その支持壁２９ａの先端に枢着される押圧部２９ｂとから構成されており、ホルダ２６に対して開閉自在（図２参照）となっている。
【００５９】
また、上記押圧部２９ｂは、図１中に示される如く、上記カバー２４ｂを押さえられるようにカバー２４ｂの形状に合わせて彫り込まれており、上記ロアーコネクタ２４及びアッパーコネクタ２５を上記ホルダ２６にセットした後、押圧部２９ｂを閉止して、カバー２４ｂを僅かに押圧するようになっている。
【００６０】
尚、押圧部２９ｂによってカバー２４ｂの位置決めがなされ、その動きも規制されるようになっている。従って、カバー２４ｂの位置を常に安定させることが可能であり、第一切断刃２８ａを動作させた際には、上記バンド２７を確実に切断することができるようになっている。
【００６１】
上記反転ブロック３０は、図４に示される如く、前方側の先端が先細りする略矩形柱状に形成されており、上記基盤２２（図２参照）の前方両側に立設される壁３５、３５に取り付けられた隔壁３６の下端中央部に締め付け固定されている。
【００６２】
上記隔壁３６は、その両端部分で壁３５、３５の後段部３５ａ、３５ａに固定されており、下端部分が上記基盤２２（図２参照）と間隔を十分にあけて配設されている（上記ホルダ２６等が移動するため）。また、隔壁３６の前面中央には、上記カバー嵌合手段３２のシリンダ３２ａが締め付け固定されており、後面中央には、上記ハウジング押圧手段３１のシリンダ３１ａが同様に締め付け固定されている。さらに、隔壁３６の後面側の一端には、固定ブロック３３ａを介して上記バンド除去手段３３のシリンダ３３ｂ（特許請求の範囲に記載した第二切断刃駆動部に相当）が締め付け固定されている。
【００６３】
上記ハウジング押圧手段３１は、上記シリンダ３１ａの駆動により上下動する可動部３１ｂを有しており、その可動部３１ｂには、上記反転ブロック３０の両側に配置されるような脚状の押圧部３１ｃ、３１ｃが基板３１ｄを介して締め付け固定されている。
【００６４】
上記カバー嵌合手段３２は、上記シリンダ３２ａの駆動により上下動する可動部３２ｂを有しており、その可動部３２ｂには、上記カバー２４ｂ（図３参照）を押さえ込むように押圧することが可能なブロック状の押圧部３２ｃ、３２ｃが基板３２ｄを介して締め付け固定されている。
【００６５】
また、可動部３２ｂには、上記隔壁３６の前面に支持板３７ａを介して設けられるセンサー３７に関与する遮蔽板３２ｅと、除去されたバンド２７が飛び散らないようにするためのフード３２ｆとが設けられている。
【００６６】
尚、センサー３７は、上記ロアーコネクタ２４とアッパーコネクタ２５との合体の際の高さを検査するためのセンサーであり、図示しない端子同士を仕切る壁（不図示）が合体等により潰れていないか判定することが可能である。
【００６７】
上記バンド除去手段３３は、上記シリンダ３３ｂを有しており、上記ハウジング押圧手段３１と干渉しないように固定ブロック３３ａを介して上記隔壁３６の後面に配設されている。シリンダ３３ｂは、そのシリンダ３３ｂの駆動により左右方向に可動する可動部３３ｃを有しており、可動部３３ｃには、上記バンド２７、２７の切り残し分を除去するための第二切断刃３３ｄが固定ブロック３３ｅを介して締め付け固定されている。また、上記隔壁３６の後面には、第二切断刃３３ｄに対する案内部材３３ｆが配設されている。
【００６８】
尚、図２中の引用符号３８は、上記バンド除去手段３３により除去されたバンドカス（不図示）をためるためのカス入れを示している。
【００６９】
上記構成において、カバー付コネクタ組立装置２１の作用は次のようになっている。
【００７０】
先ず、図１に示されるような組み立て開始前においては、装置の前方に位置するホルダ２６に対してアッパーコネクタ２５とロアーコネクタ２４とをセットするとともに、コネクタカバー２９の押圧部２９ｂを閉方向に回動させてカバー２４ｂを固定する。
この時、第一切断刃２８ａの先端は、バンド２７近傍でカバー２４ｂに接触した状態で配置されている。
【００７１】
次に、カバー付コネクタ組立装置２１は、図２に示される如くのホルダ２６の隣に配設されたスタートスイッチ３９を作業者が手で押すことにより動作を開始する。
【００７２】
カバー付コネクタ組立装置２１が動作を開始すると、先ず、図５に示される如く、バンド切断手段２８のシリンダ２８ｃが作動してバンド２７を第一切断刃２８ａで切断する。即ち、シリンダ２８ｃによって切断刃ブロック２８ｂが前方に移動（矢線Ａ参照）するので、これに伴って第一切断刃２８ａも移動することになり、バンド２７が切断される。
【００７３】
この時、カバー２４ｂは、コネクタカバー２９の押圧部２９ｂにより押さえつけられているため、バンド２７の切断位置が狂うことはない。また、第一切断刃２８ａは、上述の如く、カバー２４ｂに接触しているので、カバー２４ｂ側の継ぎ面が平坦にカットされることになる。
【００７４】
続いて、図６に示される如く、シリンダ３４（図１参照）が作動してテーブル２３を後方（矢線Ｂ参照）へ駆動する。これにより、テーブル２３に配置されたホルダ２６及びバンド切断手段２８が後方へ移動する。
【００７５】
この時、ホルダ２６が図６に示されるようにコネクタカバー２９から離脱するので、バンド切断手段２８によってバンド２７が切断されたカバー２４ｂは、若干、端子収容部２４ｃに対して閉方向に移動する。
【００７６】
続いて、図７に示される如く、テーブル２３が更に後方、即ち矢線Ｂ方向へ移動すると、カバー２４ｂが反転ブロック３０に当接し、カバー２４ｂが矢線Ｃ方向に反転移動する。
尚、この時、バンド２７はコネクタハウジング２４ａに残った状態となっている。
【００７７】
続いて、図８に示される如く、テーブル２３が更に後方、即ち矢線Ｂ方向へ移動すると、反転ブロック３０がカバー２４ｂとコネクタハウジング２４ａ間に入り込み、カバー２４ｂが矢線Ｃ方向に更に反転移動する。
【００７８】
続いて、図９に示される如く、テーブル２３が更に矢線Ｂ方向へ移動すると、反転ブロック３０が更にカバー２４ｂとコネクタハウジング２４ａ間に入り込み、カバー２４ｂが矢線Ｃ方向に更に反転移動する。
【００７９】
尚、テーブル２３を駆動するシリンダ３４（図１参照）は、図１０に示される如く、カバー２４ｂが端子収容部２４ｃに対向する位置まで反転するとその動作が停止するようになっている。
【００８０】
次に、図１１に示される如く、バンド切断手段２８のシリンダ２８ｃが作動して第一切断刃２８ａを元の位置に引き戻す。また、ハウジング押圧手段３１のシリンダ３１ａが作動して、可動部３１ｂを下方、即ち矢線Ｅ方向に移動させ、押圧部３１ｃを介してロアーコネクタ２４をアッパーコネクタ２５側に押圧する。
【００８１】
ロアーコネクタ２４が押圧されると、図１１に示される如く、その力でロアーコネクタ２４がアッパーコネクタ２５に嵌合し、これらの合体がなされる。
【００８２】
続いて、図１２に示される如く、カバー嵌合手段３２が作動してカバー２４ｂを閉止する。即ち、シリンダ３２ａを駆動させることにより可動部３２ｂが矢線Ｆ方向に移動する。そして、カバー２４ｂが可動部３２ｂに設けられた押圧部３２ｃによって押圧され、端子収容部２４ｃ（図３参照）を閉止する。
【００８３】
尚、この時、図１２の円内に示される如く、バンド２７は上述同様、まだ除去されてはいない。
【００８４】
続いて、図１３に示される如く、ハウジング押圧手段３１が作動し、そのハウジング押圧手段３１が初期位置に戻る（矢線Ｇ参照）。その後、バンド除去手段３３（図４参照）が作動して、図１３の円内に示される如く、バンド２７（図１２参照）を除去する。
即ち、図４を参照しながら説明すると、シリンダ３３ｂの駆動により第二切断刃３３ｄが移動するので、バンド２７（図１２参照）の切り残し分が切断される。
【００８５】
この時、第二切断刃３３ｄが、コネクタハウジング２４ａ（図１３参照）の上面を摺動しながらバンド２７（図１２参照）を切断するので、継ぎ面は平坦になる。
また、除去されたバンドカス（不図示）は、第二切断刃３３ｄの移動方向の延長上に設けられたカス入れ３８（図２参照）にためられ、例えば一定のサイクルで廃棄されることになる。
【００８６】
続いて、図１４に示される如く、カバー嵌合手段３２が作動し、そのカバー嵌合手段３２が初期位置に戻る（矢線Ｈ参照）。
【００８７】
そして、図１５に示される如く、テーブル２３も矢線Ｉ方向に移動して初期位置に戻り、一連の組み立てが完了する。
【００８８】
以上、図１ないし図１５までを参照しながら説明したように、本発明のカバー付コネクタ組立装置２１によれば、人による作業が従来に比べて大幅に軽減された組み立てとなっているので、カバー付コネクタの組み立てにかかるタクトが短くなり、生産性が向上することになる。
【００８９】
また、作業者が一々ハサミやニッパ等で切断しなくとも、バンド切断手段２８及びバンド除去手段３３によりバンド２７を切断することができるので、正確且つ均一であり、作業能率も向上することになる。
【００９０】
さらに、カバー嵌合手段３２がカバー２４ｂを閉止するので、作業が軽減されるのは勿論のこと、作業者の手が圧接端子（不図示）に触れてしまうこともなく、その圧接端子の変形を防止することができることになる。
【００９１】
従って、以上のことから、人による作業の工程を軽減し、効率よく、且つ、正確にカバー付コネクタの組み立てができるカバー付コネクタ組立装置を提供することができる。
【００９２】
一方、第一切断刃２８ａを、その第一切断刃２８ａが相対移動する前の初期状態において、カバー２４ｂ及びコネクタハウジング２４ａ間のバンド２７近傍に配置しているので、第一切断刃２８ａが相対移動する際に、その第一切断刃２８ａでバンド２７以外の部分を破損させてしまうことはない。また、ロアーコネクタ２４及びアッパーコネクタ２５をセットする際の位置決めが容易になり、バンド２７の切断状態も常に均一に維持することが可能である。
【００９３】
他方、カバー嵌合手段３２の作動後に動作してバンド２７の切り残しを除去するバンド除去手段３３を備えていることから、バンド２７を確実に除去することができることになる。また、バンド除去手段３３はカバー嵌合手段３２の作動後に動作させることから、カバー２４ｂがすでに閉止されており、バンドカス（不図示）が端子収容部（不図示）内に混入してしまうことはない。従って、端子収容部（不図示）内への異物混入を防止することができることになる。
【００９４】
その他には、ハウジング押圧手段３１がカバー嵌合手段３２の作動前にそのカバー嵌合手段３２の相対移動方向に動作し、コネクタハウジング２４ａを押圧するようになっているので、カバー２４ｂを閉止する際にコネクタハウジング２４ａが動いてしまうことはない。
【００９５】
また、ハウジング押圧手段３１の押圧により、上述したロアーコネクタ２４とアッパーコネクタ２５との合体のように、効率よくカバー付コネクタをそのカバー付コネクタに対して別体で配設されたコネクタと合体させることができることになる。
【００９６】
その他、本発明は本発明の主旨を変えない範囲で種々変更実施可能なことは勿論である。また、段落番号００７０〜段落番号００８７に記載された作用をカバー付コネクタ組付方法として読み替えることも可能である。
【００９７】
尚、図１６に示される如く、第一切断刃２８ａのカバー２４ｂ（図１参照、以下同様）側となる上面に、カバー２４ｂを上記閉方向に持ち上げることが可能なプレート４０を設ければ、バンド２７の切断が行われた後の反転ブロック３０のカバー反転作用をスムーズにすることができるようになる（カバー２４ｂがプレート４０により上記閉方向へ持ち上げられると、そのカバー２４ｂを反転させやすくなる）。また、これにより作業効率が高められることになる。
プレート４０は、先端にテーパ４０ａが形成されている（厚さ及び幅は適宜寸法設定することができるものとする）。
【００９８】
さらに、図１７に示される如く、ロアーコネクタ２４のみの組み立てが可能なホルダ４１を上述のホルダ２６の代わりに用いることもできる。そのホルダ４１には、図中に示されるようなスプリング４２を介してスライドガイド４３を摺動するストッパ４４が設けられている。
【００９９】
【発明の効果】
以上説明したように、請求項１又は請求項１０に記載された本発明によれば、バンドを介してコネクタハウジングに継がれ、端子収容部に対して開方向に裏返った状態のカバーに対して、バンド切断手段の第一切断刃を相対移動させてバンドを切断した後、カバー反転手段がカバーを裏返った状態から閉方向へ反転させ、カバーを端子収容部に対向する位置に配置する。そして、カバー嵌合手段がカバーをコネクタハウジングに嵌合させる。
このように、人による作業が従来に比べて大幅に軽減された組み立てとなっているので、カバー付コネクタの組み立てにかかるタクトが短くなり、生産性が向上する。また、作業者が一々ハサミやニッパ等で切断しなくとも、バンド切断手段によりバンドを切断することができるので、正確且つ均一であり、作業能率も向上する。さらに、カバー嵌合手段がカバーを閉止するので、作業が軽減されるのは勿論のこと、手が端子に触れてしまうこともなく、端子の変形を防止することができる。
従って、以上のことから、人による作業の工程を軽減し、効率よく、且つ、正確にカバー付コネクタの組み立てができるカバー付コネクタ組立装置又はカバー付コネクタ組立方法を提供することができるという効果を奏する。
【０１００】
請求項２に記載された本発明によれば、第一切断刃を、その第一切断刃が相対移動する前の初期状態において、カバー及びコネクタハウジング間のバンド近傍に配置するようになっているので、第一切断刃が相対移動する際に、その第一切断刃でバンド以外の部分を破損させてしまうことはない。また、コネクタハウジングをセットする際の位置決めが容易になり、バンドの切断状態も常に均一になる。
従って、効率よく、且つ、正確にカバー付コネクタの組み立てをすることができるという効果を奏する。
【０１０１】
請求項３に記載された本発明によれば、第一切断刃に、カバーを閉方向へ持ち上げるプレートが設けられているので、バンドの切断が行われた後のカバー反転手段への移行がスムーズとなる。つまり、カバーが閉方向へ持ち上げられると、カバー反転手段がカバーを反転させやすくなるためであり、第一切断刃に設けることで作業効率を高めている。
従って、第一切断刃にカバーを設けることで、さらに効率よくカバー付コネクタの組み立てをすることができるという効果を奏する。
【０１０２】
請求項４又は請求項１１に記載された本発明によれば、バンド切断手段によってバンドを切断する際に、カバーが閉方向へ反転してしまわないようカバーを押さえつけることが可能になる。また、カバーを位置決めさせる部材にもなるので、以上のことから、バンドの切断を確実に行うことが可能になる。
従って、カバー反転規制部材を更に備えることで、バンドを確実に切断することができるという効果を奏する。
【０１０３】
請求項５又は請求項１２に記載された本発明によれば、バンド除去手段が、カバー嵌合手段の作動後に動作し、バンドの切り残しを除去するようになっている。
これにより、バンドを確実に除去することが可能になる。また、バンド除去手段はカバー嵌合手段の作動後に動作させることから、カバーがすでに閉止されており、バンドカスが端子収容部内に混入してしまうことはない。
従って、バンド除去手段を更に備えることで、切り残したバンドを確実に除去することができるとともに、その作動タイミングによって、端子収容部内への異物混入を防止することができるという効果を奏する。
【０１０４】
請求項６又は請求項１３に記載された本発明によれば、バンド除去手段は、バンドの切り残しを切断する第二切断刃と、その第二切断刃を第一切断刃の移動方向に対して直交方向に相対移動させる第二切断刃駆動部とを有しているので、上述同様、バンドを確実に除去することができるのは勿論のこと、第二切断刃が第一切断刃の移動方向に対して直交方向に相対移動することから、閉止したカバーの方向にバンドカスが除去されることはない。
従って、バンドを確実に除去することができるとともに、端子収容部内への異物混入もより確実に防止することができるという効果を奏する。
【０１０５】
請求項７に記載された本発明によれば、第二切断刃の相対移動方向に、除去されたバンドカス用のカス入れが設けられているので、バンドカスの管理が容易になる。そして、バンドカスがカス入れにためられるので、バンドカスが何らかの拍子に端子収容部内に混入してしまうこともない。また、作業終了後の後始末も当然に容易になる。
従って、バンドを除去した後のバンドカスの管理が容易となって、端子収容部内への異物混入を確実に防止することができるという効果を奏する。
【０１０６】
請求項８又は請求項１４に記載された本発明によれば、ハウジング押圧手段が、カバー嵌合手段の作動前にそのカバー嵌合手段の相対移動方向に動作し、コネクタハウジングを押圧するようになっているので、カバーを閉止する際にコネクタハウジングが動いてしまうことはない。
従って、ハウジング押圧手段を更に備えてコネクタハウジングを押圧することにより、カバーの閉止を確実且つ安定して行うことができるという効果を奏する。
【０１０７】
請求項９又は請求項１５に記載された本発明によれば、ハウジング押圧手段が、カバー嵌合手段の相対移動方向に動作してコネクタハウジングを押圧するようになっているので、その押圧を利用し、カバー付コネクタをそのカバー付コネクタに対して別体で配設されたコネクタと合体させることが可能になる。
従って、ハウジング押圧手段を更に備えることにより、合体コネクタも効率よく、且つ、正確に組み立てすることができるという効果を奏する。
【図面の簡単な説明】
【図１】本発明によるカバー付コネクタ組立装置の一実施の形態を示す装置側方より見た状態説明図である。
【図２】図１のカバー付コネクタ組立装置の外観斜視図である。
【図３】図１のカバー付コネクタのセット状態を説明するためのホルダー及びコネクタカバーの断面図である。
【図４】図１のカバー付コネクタ組立装置の上部側の分解斜視図である。
【図５】図１の状態からバンドの切断に移行した際の装置側方より見た状態説明図である。
【図６】図５の状態からテーブルを装置後方へ移動させた際の装置側方より見た状態説明図である。
【図７】図６の状態から更にテーブルを装置後方へ移動させ、反転ブロックにカバーを当接させた際の装置側方より見た状態説明図である。
【図８】図７の状態からカバーの反転が進んだ際の装置側方より見た状態説明図である。
【図９】図８の状態からカバーの反転が更に進んだ際の装置側方より見た状態説明図である。
【図１０】図９の状態からカバーの反転が更に進んで端子収容部に対向する位置に配置された際の装置側方より見た状態説明図である。
【図１１】図１０の状態からロアーコネクタとアッパーコネクタとを合体させた際の装置側方より見た状態説明図である。
【図１２】図１１の状態からカバーを閉止させた際の装置側方より見た状態説明図である。
【図１３】図１２の状態からハウジングへの押圧を解除して切り残していたバンドを除去した際の装置側方より見た状態説明図である。
【図１４】図１３の状態からカバーへの押圧を解除した際の装置側方より見た状態説明図である。
【図１５】図１４の状態から初期位置に戻った際の装置側方より見た状態説明図である。
【図１６】図１の第一切断刃の拡大図である。
【図１７】図３で説明したホルダの他の例を示す断面図である。
【図１８】従来例のカバー付コネクタの外観斜視図である。
【図１９】従来例の合体コネクタの側面図であり、（ａ）は合体前の状態説明図、（ｂ）は合体後の状態説明図である。
【符号の説明】
２１            カバー付コネクタ組立装置
２２            基盤
２２ａ          レール
２２ｂ          スライダ
２３            テーブル
２４            ロアーコネクタ（カバー付コネクタ）
２４ａ          コネクタハウジング
２４ｂ          カバー
２４ｃ          端子収容部
２４ｄ          ヒンジ
２４ｅ          係合枠部
２５            アッパーコネクタ（コネクタ）
２５ａ          係合突起
２５ｂ          係合ピン
２６            ホルダ
２６ａ          ガイド
２７            バンド
２８            バンド切断手段
２８ａ          第一切断刃
２８ｂ          切断刃ブロック
２８ｃ          シリンダ
２８ｄ          接合部
２９            コネクタカバー（カバー反転規制部材）
２９ａ          支持壁
２９ｂ          押圧部
３０            反転ブロック（カバー反転手段）
３１            ハウジング押圧手段
３１ａ          シリンダ
３１ｂ          可動部
３１ｃ          押圧部
３１ｄ          基板
３２            カバー嵌合手段
３２ａ          シリンダ
３２ｂ          可動部
３２ｃ          押圧部
３２ｄ          基板
３２ｅ          遮蔽板
３２ｆ          フード
３３            バンド除去手段
３３ａ          固定ブロック
３３ｂ          シリンダ
３３ｃ          可動部
３３ｄ          第二切断刃
３３ｅ          固定ブロック
３３ｆ          案内部材
３４            シリンダ
３５            壁
３５ａ          後段部
３６            隔壁
３７            センサー
３７ａ          支持板
３８            カス入れ
３９            スタートスイッチ
４０            プレート
４０ａ          テーパ
４１            ホルダ
４２            スプリング
４３            スライドガイド
４４            ストッパ
【図１】
0003682837.tif 000002
【図２】
0003682837.tif 000003
【図３】
0003682837.tif 000004
【図４】
0003682837.tif 000005
【図５】
0003682837.tif 000006
【図６】
0003682837.tif 000007
【図７】
0003682837.tif 000008
【図８】
0003682837.tif 000009
【図９】
0003682837.tif 000010
【図１０】
0003682837.tif 000011
【図１１】
0003682837.tif 000012
【図１２】
0003682837.tif 000013
【図１３】
0003682837.tif 000014
【図１４】
0003682837.tif 000015
【図１５】
0003682837.tif 000016
【図１６】
0003682837.tif 000017
【図１７】
0003682837.tif 000018
【図１８】
0003682837.tif 000019
【図１９】
0003682837.tif 000020